【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
直列に接続された、少なくとも２つのアキュムレータステージ（Ｅｔｉ）を備える充電均等化システムであって、各アキュムレータステージ（Ｅｔｉ）は、前記アキュミュレータステージ（Ｅｔｉ）の負極（Ｎｉ）と正極（Ｐｉ）の間に配置された少なくとも１つのアキュムレータ（Ａｉｊ）を備えるシステムにおいて、
−少なくとも１つの正端子（ｖ２）と、少なくとも１つの負端子（ｖ１）とを備える、電圧発生器（７）と、
−各アキュムレータステージ（Ｅｔｉ）に接続され、前記電圧発生器（７）から給電される充電デバイス（５）であって、
・少なくとも１つのインダクタ（Ｌ１ｉ、Ｌ２ｉ、Ｌ１０ｉ）と、
・第１の端子が前記電圧発生器（７）の端子（ｖ２、ｖ１）に接続され、第２の端子が接続されたインダクタ（Ｌ１ｉ、Ｌ１０ｊ）に接続されている、第１のキャパシタ（Ｃ１ｉ）と、
・第１の端子が前記電圧発生器（７）の端子（ｖ１、ｖ２）に接続され、第２の端子が接続されたインダクタ（Ｌ２ｊ、Ｌ１０ｊ）に接続されている、第２のキャパシタ（Ｃ２ｉ）と、
・アノードが、前記接続されたアキュムレータステージの負極（Ｎｉ）に接続され、カソードが、前記第１のキャパシタ（Ｃ１ｉ）の第２の端子に接続されている、第１のダイオード（Ｄ１ｉ）と、
・アノードが、前記接続されたアキュムレータステージの負極（Ｎｉ）に接続され、カソードが、前記第２のキャパシタ（Ｃ２ｉ）の第２の端子に接続されている、第２のダイオード（Ｄ２ｉ）と、
・アノードが前記接続されたアキュムレータステージの前記負極（Ｎｉ）に接続され、かつ接続されたインダクタ（Ｌ１ｉ、Ｌ２ｉ、Ｌ１０ｉ）の１つの端子に接続された少なくとも１つのダイオード（Ｄ１ｉ、Ｄ２ｉ；Ｄ１１ｉ、Ｄ２１ｉ；Ｄ１００ｉ）であって、前記ダイオード（Ｄ１ｉ、Ｄ２ｉ；Ｄ１１ｉ、Ｄ２１ｉ；Ｄ１００ｉ）がオンの時に、充電電流が前記接続されたアキュミュレータステージ、前記ダイオード（Ｄ１ｉ、Ｄ２ｉ；Ｄ１１ｉ、Ｄ２１ｉ；Ｄ１００ｉ）、および前記接続されたインダクタ（Ｌ１ｉ、Ｌ２ｉ、Ｌ１０ｉ）を通るようになっているダイオードと、
・インダクタ（Ｌ１ｉ、Ｌ２ｉ、Ｌ１０ｉ）に接続され、かつ前記接続されたアキュムレータステージの電極（Ｐｉ）に接続されている、少なくとも１つのスイッチ（ＳＷ１ｉ、ＳＷ１１ｉ）であって、充電デバイス（５）の接続されたスイッチ（ＳＷ１ｉ、ＳＷ１１ｉ）、インダクタ（Ｌ１ｉ、Ｌ２ｉ、Ｌ１０ｉ）およびキャパシタ（Ｃ１ｉ、Ｃ２ｉ）が、電圧発生器（７）の端子（ｖ２，ｖ１）と前記接続されたアキュミュレータステージの電極との間に直列に接続されているスイッチとを備える充電デバイス（５）と、
−制御デバイス（３）であって
・導電時間に、前記電圧発生器（７）の端子（ｖ２，ｖ１）間の電圧変化を加え、充電されるべきアキュムレータステージ（Ｅｔｉ）に接続された充電デバイス（５）の前記スイッチ（ＳＷ１ｉ、ＳＷ１１ｉ）を閉塞することにより、電圧発生器（７）から給電された次第に増大する電源電流が、前記インダクタ（Ｌ１ｉ、Ｌ２ｉ、Ｌ１０ｉ）および前記スイッチ（ＳＷ１ｉ、ＳＷ１１ｉ）を通って流れるようにし、かつ前記接続されたインダクタ（Ｌ１ｉ、Ｌ２ｉ、Ｌ１０ｉ）にエネルギーを蓄えるようにし、
・導電時間の終了時に、前記接続されたインダクタ（Ｌ１ｉ、Ｌ２ｉ、Ｌ１０ｉ）を通って流れる電源電流を遮断し、
前記インダクタ（Ｌ１ｉ、Ｌ２ｉ、Ｌ１０ｉ）および前記接続されたダイオード（Ｄ１ｉ、Ｄ２ｉ；Ｄ１１ｉ、Ｄ２１ｉ；Ｄ１００ｉ）に減少する充電電流を循環させることにより、前記接続されたインダクタ（Ｌ１ｉ、Ｌ２ｉ、Ｌ１０ｉ）に蓄えられたエネルギーのアキュムレータステージ（Ｅｔｉ）への転送が可能となるように構成された制御デバイス（３）、
とを含むことを特徴とする充電均等化システム。
【請求項２】
前記電圧発生器（７）が、両端子（ｖ１，ｖ２）の間に、正電圧または負電圧を印加することができ、かつ前記制御デバイス（３）が
−第１の導電時間の間は正電圧を印加し、第２の導電時間の間は負電圧を印加し、電流が、第１の導電時間の間は第１の方向へ、第２の導電時間の間は第１の方向とは反対方向である第２の方向へ、第１のキャパシタ（Ｃ１ｉ）および第２のキャパシタ（Ｃ２ｉ）を通って流れるように構成されており、
−前記第１の導電時間と前記第２の導電時間との間の前記電源電流を遮断して、減少する充電電流を前記インダクタ（Ｌ１ｉ、Ｌ２ｉ、Ｌ１０ｉ）および前記接続されたダイオード（Ｄ１ｉ、Ｄ２ｉ；Ｄ１１ｉ、Ｄ２１ｉ；Ｄ１００ｉ）で循環させることにより、インダクタ（Ｌ１ｉ、Ｌ２ｉ、Ｌ１０ｉ）に蓄えられたエネルギーを、前記接続されたアキュムレータステージ（Ｅｔｉ）へ転送できるように構成されていることを特徴とする、請求項１に記載の充電均等化システム。
【請求項３】
前記第１のキャパシタ（Ｃ１ｉ）が、前記電圧発生器（７）の正端子（ｖ２）に接続されている第１の端子を備え、前記第２のキャパシタ（Ｃ２ｉ）が、前記電圧発生器（７）の負端子（ｖ１）に接続されている第１の端子を備えていることを特徴とする、請求項１または２に記載の充電均等化システム。
【請求項４】
前記スイッチ（ＳＷ１ｉ）は、第１の端子が少なくとも１つのインダクタ（Ｌ１ｉ、Ｌ２ｉ、Ｌ１０ｉ）に接続され、第２の端子が前記接続されたアキュムレータステージの正極（Ｐｉ）に接続されていることを特徴とする、請求項１〜３のいずれか１項に記載の充電均等化システム。
【請求項５】
前記制御デバイス（３）が、電圧発生器（７）の前記端子においてゼロ電圧にすることにより前記インダクタ（Ｌ１ｉ、Ｌ２ｉ、Ｌ１０ｉ）を通して流れる電源電流を遮断するように構成されていることを特徴とする、請求項１〜４のいずれか１項に記載の充電均等化システム。
【請求項６】
−前記充電デバイス（５）が、第１のインダクタ（Ｌ１ｉ）および第２のインダクタ（Ｌ２ｉ）を備え、
・前記第１のインダクタ（Ｌ１ｉ）が、前記第１のキャパシタ（Ｃ１ｉ）の第２の端子と第１のダイオード（Ｄ１ｉ）のカソードとに接続された第１の端子を有し、
・前記第２のインダクタ（Ｌ２ｉ）が、前記第２のキャパシタ（Ｃ２ｉ）の第２の端子と第２のダイオード（Ｄ２ｉ）のカソードとに接続された第１の端子を有するようになっており、
−前記充電デバイス（５）が、前記２つのインダクタ（Ｌ１ｉ）および（Ｌ２ｉ）に接続された共通のスイッチ（ＳＷ１ｉ）、または第１のインダクタ（Ｌ１ｉ）に接続された第１のスイッチ（ＳＷ１ｉ）および第２のインダクタ（Ｌ２ｉ）に接続された第２のスイッチ（ＳＷ１１ｉ）を備えることを特徴とする、請求項１〜５のいずれか１項に記載の充電均等化システム。
【請求項７】
第１のダイオード（Ｄ１ｊ）は、アノードが前記接続されたアキュミュレータステージの前記負極（Ｎｉ）に接続され、かつカソードが前記第１のキャパシタ（Ｃ１ｉ）の第２の端子および第１のインダクタ（Ｌ１ｉ）の１つの端子に接続されることにより、第１のダイオード（Ｄ１ｉ）がオンの時に、充電電流が、前記接続されたアキュミュレータステージ、前記第１のダイオード（Ｄ１ｉ）および第１のインダクタ（Ｌ１ｉ）を循環するようになっていることを特徴とする、請求項６に記載の充電均等化システム。
【請求項８】
第２のダイオード（Ｄ２ｊ）は、アノードが前記接続されたアキュミュレータステージの負極（Ｎｉ）に接続され、かつカソードが前記第２のキャパシタの第２の端子および前記接続された第２のインダクタ（Ｌ２ｉ）の１つの端子に接続されることにより、第２のダイオード（Ｄ２ｉ）がオンの時に、充電電流が、前記接続されたアキュミュレータステージ、前記第２のダイオード（Ｄ２ｉ）および前記第２のインダクタ（Ｌ２ｉ）を循環するようになっていることを特徴とする、請求項６または７に記載の充電均等化システム。
【請求項９】
−カソードが接続されたインダクタ（Ｌ１ｉ、Ｌ１０ｉ）の第１の端子に接続され、アノードが前記第１のダイオード（Ｄ１ｉ）の前記カソードに接続されている、少なくとも１つの第３のダイオード（Ｄ１０ｉ）と、
−カソードが接続されたインダクタ（Ｌ２ｉ、Ｌ１０ｉ）の第１の端子に接続され、アノードが前記第２のダイオード（Ｄ２ｉ）の前記カソードに接続されている、少なくとも１つの第４のダイオード（Ｄ２０ｉ）とをさらに備えることを特徴とする、請求項１〜８のいずれか１項に記載の充電均等化システム。
【請求項１０】
前記第３のダイオード（Ｄ１０ｉ）は、第１のインダクタ（Ｌ１ｉ）に接続され、前記第４のダイオード（Ｄ２０ｉ）は、前記第２のインダクタ（Ｌ２ｉ）に接続されていることを特徴とする、請求項６または９に記載の充電均等化システム。
【請求項１１】
前記充電デバイス（５）は、
−カソードが前記第１のインダクタ（Ｌ１ｉ）の前記第１の端子に接続され、アノードが前記接続されたアキュムレータステージの前記負極（Ｎｉ）に接続されている、少なくとも１つの第５のダイオード（Ｄ１１ｉ）と、
−カソードが前記第２のインダクタ（Ｌ２ｉ）の前記第１の端子に接続され、アノードが前記接続されたアキュムレータステージの前記負極（Ｎｉ）に接続されている、少なくとも１つの第６のダイオード（Ｄ２１ｉ）とをさらに含むことを特徴とする、請求項１０に記載の充電均等化システム。
【請求項１２】
前記第３のダイオード（Ｄ１０ｉ）、および前記第４のダイオード（Ｄ２０ｉ）は、同一のインダクタ（Ｌ１０ｉ）に接続されていることを特徴とする、請求項９に記載の充電均等化システム。
【請求項１３】
前記充電デバイス（５）は、カソードが前記インダクタ（Ｌ１０ｉ）の前記第１の端子に接続され、アノードが前記接続されたアキュムレータステージの前記負極（Ｎｉ）に接続されている、少なくとも１つの第５のダイオード（Ｄ１００ｉ）をさらに備えることを特徴とする、請求項１２に記載の充電均等化システム。
【請求項１４】
前記充電デバイス（５）は、充電段階の間は、前記接続されたアキュムレータステージ（Ｅｔｉ）の電圧レベルおよび前記電池（１）の電圧レベルとは無関係に、不連続導電のもとで動作するように構成されていることを特徴とする、請求項１〜１３のいずれか１項に記載の充電均等化システム。
【請求項１５】
前記アキュムレータ（Ａｉｊ）が、リチウムイオンタイプであるか、または前記電池が、スーパーキャパシタを含むことを特徴とする、請求項１〜１４のいずれか１項に記載の充電均等化システム。
【手続補正２】
【補正対象書類名】明細書
【補正対象項目名】００１３
【補正方法】変更
【補正の内容】
【００１３】
本発明の主題は、充電均等化システムであり、この充電均等化システムは、直列に接続された、少なくとも２つのアキュムレータステージ（Ｅｔｉ）を備える充電均等化システムであって、各アキュムレータステージ（Ｅｔｉ）は、アキュミュレータステージ（Ｅｔｉ）の負極（Ｎｉ）と正極（Ｐｉ）の間に配置された少なくとも１つのアキュムレータ（Ａｉｊ）を備えるシステムにおいて、
−少なくとも１つの正端子（ｖ２）と、少なくとも１つの負端子（ｖ１）とを備える、電圧発生器（７）と、
−各アキュムレータステージ（Ｅｔｉ）に接続され、電圧発生器（７）から給電される充電デバイス（５）であって、
・少なくとも１つのインダクタ（Ｌ１ｉ、Ｌ２ｉ、Ｌ１０ｉ）と、
・第１の端子が電圧発生器（７）の端子（ｖ２、ｖ１）に接続され、第２の端子が接続されたインダクタ（Ｌ１ｉ、Ｌ１０ｊ）に接続されている、第１のキャパシタ（Ｃ１ｉ）と、
・第１の端子が電圧発生器（７）の端子（ｖ１、ｖ２）に接続され、第２の端子が接続されたインダクタ（Ｌ２ｊ、Ｌ１０ｊ）に接続されている、第２のキャパシタ（Ｃ２ｉ）と、
・アノードが、接続されたアキュムレータステージの負極（Ｎｉ）に接続され、カソードが、第１のキャパシタ（Ｃ１ｉ）の第２の端子に接続されている、第１のダイオード（Ｄ１ｉ）と、
・アノードが、接続されたアキュムレータステージの負極（Ｎｉ）に接続され、カソードが、第２のキャパシタ（Ｃ２ｉ）の第２の端子に接続されている、第２のダイオード（Ｄ２ｉ）と、
・アノードが接続されたアキュムレータステージの負極（Ｎｉ）に接続され、かつ接続されたインダクタ（Ｌ１ｉ、Ｌ２ｉ、Ｌ１０ｉ）の１つの端子に接続された少なくとも１つのダイオード（Ｄ１ｉ、Ｄ２ｉ；Ｄ１１ｉ、Ｄ２１ｉ；Ｄ１００ｉ）であって、ダイオード（Ｄ１ｉ、Ｄ２ｉ；Ｄ１１ｉ、Ｄ２１ｉ；Ｄ１００ｉ）がオンの時に、充電電流が接続されたアキュミュレータステージ、ダイオード（Ｄ１ｉ、Ｄ２ｉ；Ｄ１１ｉ、Ｄ２１ｉ；Ｄ１００ｉ）、および接続されたインダクタ（Ｌ１ｉ、Ｌ２ｉ、Ｌ１０ｉ）を通るようになっているダイオードと、
・インダクタ（Ｌ１ｉ、Ｌ２ｉ、Ｌ１０ｉ）に接続され、かつ接続されたアキュムレータステージの電極（Ｐｉ）に接続されている、少なくとも１つのスイッチ（ＳＷ１ｉ、ＳＷ１１ｉ）であって、充電デバイス（５）の接続されたスイッチ（ＳＷ１ｉ、ＳＷ１１ｉ）、インダクタ（Ｌ１ｉ、Ｌ２ｉ、Ｌ１０ｉ）およびキャパシタ（Ｃ１ｉ、Ｃ２ｉ）が、電圧発生器（７）の端子（ｖ２，ｖ１）と接続されたアキュミュレータステージの電極との間に直列に接続されているスイッチとを備える充電デバイス（５）と、
−制御デバイス（３）であって
・導電時間に、電圧発生器（７）の端子（ｖ２，ｖ１）間の電圧変化を加え、充電されるべきアキュムレータステージ（Ｅｔｉ）に接続された充電デバイス（５）のスイッチ（ＳＷ１ｉ、ＳＷ１１ｉ）を閉塞することにより、電圧発生器（７）から給電された次第に増大する電源電流が、インダクタ（Ｌ１ｉ、Ｌ２ｉ、Ｌ１０ｉ）およびスイッチ（ＳＷ１ｉ、ＳＷ１１ｉ）を通って流れるようにし、かつ接続されたインダクタ（Ｌ１ｉ、Ｌ２ｉ、Ｌ１０ｉ）にエネルギーを蓄えるようにし、
・導電時間の終了時に、接続されたインダクタ（Ｌ１ｉ、Ｌ２ｉ、Ｌ１０ｉ）を通って流れる電源電流を遮断し、
インダクタ（Ｌ１ｉ、Ｌ２ｉ、Ｌ１０ｉ）および接続されたダイオード（Ｄ１ｉ、Ｄ２ｉ；Ｄ１１ｉ、Ｄ２１ｉ；Ｄ１００ｉ）に減少する充電電流を循環させることにより、接続されたインダクタ（Ｌ１ｉ、Ｌ２ｉ、Ｌ１０ｉ）に蓄えられたエネルギーのアキュムレータステージ（Ｅｔｉ）への転送が可能となるように構成された制御デバイス（３）、
とを含むことを特徴としている。